(57)【要約】【課題】各加入者宅での光伝送システムの多様な利用形態に容易に対応可能な光端末装置を提供する。【解決手段】告知放送信号専用出力端子Ｔ１と、共同受信信号出力端子Ｔ２と、告知放送信号出力切替スイッチ３４とを備え、告知放送信号出力切替スイッチ３４が第１の状態であるときには、受信する光信号が告知放送信号を含む高周波信号で変調した光信号であれば、給電時、無給電時にかかわらず告知放送信号専用出力端子Ｔ１から前記告知放送信号が出力され、告知放送信号出力切替スイッチ３４が第２の状態であるときには、受信する光信号が告知放送信号を含む高周波信号で変調した光信号であれば、給電時、無給電時にかかわらず共同受信信号出力端子Ｔ２から前記告知放送信号が出力される光端末装置。【選択図】図２
2011040908.tif 000002
【特許請求の範囲】
【請求項１】
光信号を電気信号に変換する光電変換手段と、
告知放送信号専用出力端子と、
共同受信信号を出力するための共同受信信号出力端子と、
告知放送信号出力切替スイッチとを備え、
前記告知放送信号出力切替スイッチが第１の状態であるときには、前記光信号が告知放送信号を含む高周波信号で変調した光信号であれば、給電時、無給電時にかかわらず前記告知放送信号専用出力端子から前記告知放送信号が出力され、
前記告知放送信号出力切替スイッチが第２の状態であるときには、前記光信号が告知放送信号を含む高周波信号で変調した光信号であれば、給電時、無給電時にかかわらず前記共同受信信号出力端子から前記告知放送信号が出力されることを特徴とする光端末装置。
【請求項２】
前記告知放送信号出力切替スイッチが、外部から操作可能な切替スイッチである請求項１に記載の光端末装置。
【請求項３】
無給電時のマッチングをとるためのマッチング回路を備え、
無給電時には、前記光電変換手段から出力され、前記マッチング回路を経由した信号から前記告知放送信号を抽出し、
給電時には、前記光電変換手段から出力され、前記マッチング回路を経由しなかった信号から前記告知放送信号を抽出する請求項１又は請求項２に記載の光端末装置。
【請求項４】
前記告知放送信号がＦＭ帯域の信号であり、前記共同受信信号にＣＡＴＶ帯域のテレビジョン放送信号が含まれている光端末装置であって、
給電時であって、前記告知放送信号出力切替スイッチが第２の状態であるときには、前記告知放送信号が、前記ＣＡＴＶ帯域のテレビジョン放送信号が伝送される経路を経由してから前記共同受信信号出力端子に供給される請求項１〜３のいずれか１項に記載の光端末装置。
【発明の詳細な説明】
【技術分野】
【０００１】
本発明は、光信号を受け取る光端末装置に関し、特に、共同受信信号と告知放送信号を含む高周波信号で変調した光信号を受け取る光端末装置に関する。
【背景技術】
【０００２】
従来の光伝送システムには、告知放送が不要なときに共同受信信号を含み告知放送信号を含まない高周波信号で変調した光信号を伝送し、告知放送が必要なときに共同受信信号と告知放送信号を含む高周波信号で変調した光信号を伝送するものがある。このような光伝送システムで用いられる光端末装置の例が特許文献１に開示されている。
【０００３】
特許文献１の第２図には、告知放送信号のみを出力する告知放送信号専用出力端子と、共同受信信号のみを出力する共同受信信号専用出力端子とを備え、告知放送信号の出力は給電時、無給電時にかかわらず可能であるが、共同受信信号の出力は給電時であって遠隔制御により共同受信信号出力不能の指示が与えられていない場合のみ可能である光端末装置が記載されている。
【０００４】
また、特許文献１の第４図には、告知放送信号と共同受信信号を出力する混合出力端子と、共同受信信号のみを出力する共同受信信号専用出力端子とを備え、告知放送信号の出力は給電時、無給電時にかかわらず可能であるが、共同受信信号の出力は給電時であって遠隔制御により共同受信信号出力不能の指示が与えられていない場合のみ可能である光端末装置が記載されている。
【０００５】
また、特許文献１の第５図には、告知放送信号と共同受信信号を択一的に出力する出力端子を備え、無給電時には告知放送信号の出力のみが可能であり、給電時であって遠隔制御により共同受信信号出力不能の指示が与えられていない場合には共同受信信号の出力のみが可能である光端末装置が記載されている。
【先行技術文献】
【特許文献】
【０００６】
【特許文献１】特開２００８−３１１８８１号公報（第２図、第４図、第５図）
【発明の概要】
【発明が解決しようとする課題】
【０００７】
特許文献１の第２図に記載されている光端末装置の場合、宅内配線において、同軸ケーブルが告知放送信号伝送専用と共同受信信号伝送専用の２本必要になるという制約がある。したがって、例えば、元々ＣＡＴＶを利用していた加入者宅においては、告知放送信号伝送専用のケーブル配線工事を新たに行わないといけなくなるという問題がある。
【０００８】
また、特許文献１の第４図に記載されている光端末装置の場合、混合出力端子からの出力信号のみを用いるときには、告知放送信号と共同受信信号とを分配するための分配器が必要になるという制約があり、混合出力端子からの出力信号と共同受信信号専用出力端子からの出力信号を用いるときには、混合出力端子からの出力信号から共同受信信号を除去する手段が必要になるという制約がある。
【０００９】
また、特許文献１の第５図に記載されている光端末装置の場合、給電時には光端末装置から告知放送信号を出力することができないという問題がある。
【００１０】
本発明は、上記の状況に鑑み、各加入者宅での光伝送システムの多様な利用形態に容易に対応可能な光端末装置を提供することを目的とする。
【課題を解決するための手段】
【００１１】
上記目的を達成するために本発明に係る光端末装置は、光信号を電気信号に変換する光電変換手段と、告知放送信号専用出力端子と、共同受信信号を出力するための共同受信信号出力端子と、告知放送信号出力切替スイッチとを備え、前記告知放送信号出力切替スイッチが第１の状態であるときには、前記光信号が告知放送信号を含む高周波信号で変調した光信号であれば、給電時、無給電時にかかわらず前記告知放送信号専用出力端子から前記告知放送信号が出力され、前記告知放送信号出力切替スイッチが第２の状態であるときには、前記光信号が告知放送信号を含む高周波信号で変調した光信号であれば、給電時、無給電時にかかわらず前記共同受信信号出力端子から前記告知放送信号が出力される構成とする。
【００１２】
また、上記構成の光端末装置において、前記告知放送信号出力切替スイッチが、外部から操作可能な切替スイッチであることが好ましい。
【００１３】
また、上記いずれかの構成の光端末装置において、無給電時のマッチングをとるためのマッチング回路を備え、無給電時には、前記光電変換手段から出力され、前記マッチング回路を経由した信号から前記告知放送信号を抽出し、給電時には、前記光電変換手段から出力され、前記マッチング回路を経由しなかった信号から前記告知放送信号を抽出するようにしてもよい。
【００１４】
また、上記いずれかの構成の光端末装置において、前記告知放送信号がＦＭ帯域の信号であり、前記共同受信信号にＣＡＴＶ帯域のテレビジョン放送信号が含まれている光端末装置とし、給電時であって、前記告知放送信号出力切替スイッチが第２の状態であるときには、前記告知放送信号が、前記ＣＡＴＶ帯域のテレビジョン放送信号が伝送される経路を経由してから前記共同受信信号出力端子に供給されるようにしてもよい。
【発明の効果】
【００１５】
本発明に係る光端末装置によると、告知放送信号出力切替スイッチにより、告知放送信号の出力先を告知放送信号専用出力端子と共同受信信号出力端子とで簡単に切り替えることができるので、各加入者宅での光伝送システムの多様な利用形態に容易に対応可能である。
【図面の簡単な説明】
【００１６】
【図１】本発明の一実施形態に係る光端末装置が用いられる光伝送システムの概略構成例を示すブロック図である。
【図２】本発明の一実施形態に係る光端末装置の外観例を示す上面図である。
【図３】本発明の一実施形態に係る光端末装置の一利用形態を示す図である。
【図４】本発明の一実施形態に係る光端末装置の他の利用形態を示す図である。
【図５】本発明の一実施形態に係る光端末装置の更に他の利用形態を示す図である。
【図６】本発明の一実施形態に係る光端末装置の一構成例を示す図である。
【図７】本発明の一実施形態に係る光端末装置の一構成例を示す図である。
【図８】本発明の一実施形態に係る光端末装置の一構成例を示す図である。
【図９】本発明の一実施形態に係る光端末装置の一構成例を示す図である。
【図１０】本発明の一実施形態に係る光端末装置の他の構成例を示す図である。
【図１１】本発明の一実施形態に係る光端末装置の他の構成例を示す図である。
【図１２】本発明の一実施形態に係る光端末装置の他の構成例を示す図である。
【図１３】本発明の一実施形態に係る光端末装置の他の構成例を示す図である。
【発明を実施するための形態】
【００１７】
本発明の実施形態について図面を参照して以下に説明する。なお、各図面において同一の部分には同一の符号を付す。
【００１８】
本発明の一実施形態に係る光端末装置が用いられる光伝送システムの概略構成例を図１に示す。図１に示す光伝送システムは、センター装置１と、光伝送路２と、複数の本発明の一実施形態に係る光端末装置３（以下、「光端末装置３」と略す）とを備えている。
【００１９】
センター装置１は、遠隔制御信号送信部１１と、高周波ヘッドエンド部１２と、光送信部１３とを有している。
【００２０】
遠隔制御信号送信部１１は、例えば、遠隔制御用パーソナルコンピュータと、ＦＳＫ（Frequency Shift Keying）変調器とからなる。上記遠隔制御用パーソナルコンピュータが、各光端末装置３のうち共同受信信号を出力することを不可能とするものに割り当てられたアドレスと、上記不可能とすることを指示する指令とを含むデジタル信号を生成し、上記ＦＳＫ変調器が上記デジタル信号で搬送波をＦＳＫ変調した遠隔制御信号を生成する。この遠隔制御信号は、複数の場合もあるし、単数の場合もある。
【００２１】
高周波ヘッドエンド部１２は、共同受信信号を出力する。また、高周波ヘッドエンド部１２は、遠隔制御信号や告知放送信号を出力する必要があるときには、共同受信信号に遠隔制御信号や告知放送信号を混合して出力する。共同受信信号は、例えば、ＣＡＴＶ帯域（７０ＭＨｚ〜７７０ＭＨｚ）のテレビジョン放送信号とＢＳ／ＣＳ−ＩＦ帯域（１０３２ＭＨｚ〜２６１０ＭＨｚ）のテレビジョン放送信号とを含んでいる。告知放送信号は、例えば地震等の災害が発生したときに送信されるものであって、例えばＦＭ帯域（７０ＭＨｚ〜９０ＭＨｚ）の音声信号である。
【００２２】
高周波ヘッドエンド部１２から出力された信号は、光送信部１３に供給され、光送信部１３において光信号に変換され、光伝送路２に伝送される。光伝送路２の光ファイバーは、図１に示す光伝送システムの送信エリアの各加入者宅に配線されている。
【００２３】
各加入者宅にはそれぞれ光端末装置３が配置され、光端末装置３内の光中継アダプタに光ファイバーが接続される。各光端末装置３は、光伝送路２によって伝送される光信号を受け取り、光信号から共同受信信号、告知放送信号、遠隔制御信号を復元する。光端末装置３には互いに異なるアドレスがそれぞれ予め割り当てられており、割り当てられたアドレスが後述する遠隔制御ユニット内のメモリに予め記憶されている。
【００２４】
次に、光端末装置３の外観例を図２に示す。光端末装置３は、遠隔制御機能を有する放送用光加入者端末装置（V-ONU:Video-Optical Network Unit）であって、本体部分から分離可能な遠隔制御ユニット３１を有している。また、光端末装置３は、光ファイバ挿入口３２と、光端末装置３の外面に設けられ光端末装置３の外部から作業者や加入者が機械的に操作可能な切替スイッチである出力ＡＴＴ切替スイッチ３３及び告知放送信号出力切替スイッチ３４と、告知放送信号専用出力端子Ｔ１と、共同受信信号出力端子Ｔ２と、出力モニタ端子Ｔ３とを有している。
【００２５】
光ファイバ挿入口３２から挿入される光ファイバー４（図２において不図示）は、光端末装置３内の光中継アダプタ（不図示）に接続される。
【００２６】
出力ＡＴＴ切替スイッチ３３を操作することで、例えば減衰量を０ｄＢ、１０ｄＢ、及び１５ｄＢの三段階に切替することができ、出力レベルを適正なレベルに調整することができる。
【００２７】
告知放送信号出力切替スイッチ３４を第１の状態（後述する図６、図８、図１０、及び図１２のように接触子３４ａが接点３４ｂ側に接続される状態）にした場合、告知放送信号が送信されていれば、給電時（光端末装置３に電圧が印加され光端末装置３が給電されているとき）、無給電時（光端末装置３に電圧が印加されておらず光端末装置３が給電されていないとき）にかかわらず告知放送信号専用出力端子Ｔ１から告知放送信号が出力される。これに対して、告知放送信号出力切替スイッチ３４を第２の状態（後述する図７、図９、図１１、及び図１３のように接触子３４ａが接点３４ｃ側に接続される状態）にした場合、告知放送信号が送信されていれば、給電時、無給電時にかかわらず共同受信信号出力端子Ｔ２から告知放送信号が出力され、告知放送信号専用出力端子Ｔ１からは告知放送信号が出力されない。
【００２８】
したがって、告知放送信号出力切替スイッチ３４を第１の状態にした場合、例えば、図３に示すように、宅内配線において同軸ケーブルが告知放送信号伝送専用同軸ケーブル５と共同受信信号伝送用同軸ケーブル７の２本必要になるが、告知放送信号伝送専用同軸ケーブル５を告知放送信号受信器６に接続し、共同受信信号伝送用同軸ケーブル７を電源部８及び同軸ケーブルを介してテレビ９に接続する利用形態であるため、分配器が必要ないという利点がある。ここで、電源部８は、入力端子Ｔ４が受け取った高周波信号を出力端子Ｔ５からスルー出力するとともに、商用ＡＣ１００Ｖ電圧を整流・平滑したＤＣ電圧を降圧してＤＣ１５Ｖ電圧を生成し、その生成したＤＣ１５Ｖ電圧を入力端子Ｔ４に供給するユニットである。
【００２９】
また、告知放送のサービスだけを利用し、共同受信のサービスは利用せずにテレビジョン放送信号は自宅のアンテナによって受信する加入者の場合、例えば、告知放送信号出力切替スイッチ３４を第１の状態にし、図４に示す利用形態にするとよい。これにより、共同受信信号伝送用同軸ケーブル７が必要なくなり、宅内配線が簡素化される。図４に示す利用形態の場合、光端末装置３に電源部８（図４において不図示）を搭載し、屋外コンセントから商用ＡＣ１００Ｖ電圧をとるようにするとよい。
【００３０】
一方、告知放送信号出力切替スイッチ３４を第２の状態にした場合、例えば、図５に示すように、分配器１０が必要になるが、共同受信信号伝送用同軸ケーブル７を電源部８及び同軸ケーブルを介して分配器１０に接続し、分配器１０で分配された共同受信信号を同軸ケーブルを介してテレビ９に供給し、分配器１０で分配された告知放送信号を同軸ケーブルを介して告知放送信号受信器６に供給する利用形態であるため、宅内配線において共同受信信号伝送用同軸ケーブル７の１本で済むという利点がある。
【００３１】
このように光端末装置３は、各加入者宅での光伝送システムの多様な利用形態に容易に対応可能である。なお、図３、図４、及び図５において、光端末装置３の背面（出力ＡＴＴ切替スイッチ３３や告知放送信号出力切替スイッチ３４を設けている面の反対側面）は加入者宅の外壁に面していないが、実際には、光端末装置３の背面は加入者宅の外壁に面している。
【００３２】
次に、光端末装置３の構成例を図６〜図９に示す。図６〜図９に示す構成例において、光端末装置３は、告知放送信号出力切替スイッチ３４と、フォトダイオード（不図示）を有する光電変換回路３５と、分岐器３６と、分波器３７と、ゲイン制御回路３８及び３９と、合成器４０と、アッテネータ４１と、分岐器４２と、マッチング回路４３と、バンドパスフィルタ４４と、アンプＡ１〜Ａ５と、コンデンサＣ１及びＣ２と、抵抗Ｒ１と、シグナルリレーＲＹ１〜ＲＹ３と、告知放送信号専用出力端子Ｔ１と、共同受信信号出力端子Ｔ２と、出力モニタ端子Ｔ３とを有している。シグナルリレーＲＹ１〜ＲＹ３は互いに連動しており、光電変換回路３５及びアクティブ回路に電源が供給されている状態で図６及び図７に示す状態になり、光電変換回路３５及びアクティブ回路に電源が供給されていない状態で図８及び図９に示す状態になる。
【００３３】
図６は給電時であって告知放送信号出力切替スイッチ３４が第１の状態である場合を示す図であり、図７は給電時であって告知放送信号出力切替スイッチ３４が第２の状態である場合を示す図であり、図８は無給電時であって告知放送信号出力切替スイッチ３４が第１の状態である場合を示す図であり、図９は無給電時であって告知放送信号出力切替スイッチ３４が第２の状態である場合を示す図である。
【００３４】
まず、図６及び図７に示す場合について説明する。この場合、シグナルリレーＲＹ１〜ＲＹ３の各リレーコイル（不図示）の両端にＤＣ電圧が印加され、かかる電圧印加によってシグナルリレーＲＹ１はコンデンサＣ１側を選択し、シグナルリレーＲＹ２は分岐器３６側を選択し、シグナルリレーＲＹ３は抵抗Ｒ１側を選択する。
【００３５】
光電変換手段、例えば光電変換回路３５に設けられたフォトダイオード（不図示）により光信号を電気信号に変換する。当該電気信号の高周波成分である高周波電気信号はアンプＡ１によって増幅され、分岐器３６の幹線出力端から分波器３７に供給され、分岐器３６の分岐出力端からシグナルリレーＲＹ２を介してバンドパスフィルタ４４に供給される。
【００３６】
分波器３７によって高周波電気信号が、ＢＳ／ＣＳ−ＩＦ帯域（１０３２ＭＨｚ〜２６１０ＭＨｚ）のテレビジョン放送信号とＣＡＴＶ帯域（７０ＭＨｚ〜７７０ＭＨｚ）のテレビジョン放送信号とに分波される。ＢＳ／ＣＳ−ＩＦ帯域（１０３２ＭＨｚ〜２６１０ＭＨｚ）のテレビジョン放送信号は、アンプＡ２によって増幅され、ゲイン制御回路３８によってレベル調整が行われた後、アンプＡ３によって再度増幅される。ＣＡＴＶ帯域（７０ＭＨｚ〜７７０ＭＨｚ）のテレビジョン放送信号は、アンプＡ４によって増幅され、ゲイン制御回路３９によってレベル調整が行われた後、アンプＡ５によって再度増幅される。アンプＡ３から出力されるＢＳ／ＣＳ−ＩＦ帯域（１０３２ＭＨｚ〜２６１０ＭＨｚ）のテレビジョン放送信号とアンプＡ５から出力されるＣＡＴＶ帯域（７０ＭＨｚ〜７７０ＭＨｚ）のテレビジョン放送信号は、合成器４０によって合成され、アッテネータ４１によって減衰量を調整された後、分岐器４２の幹線出力端から共同受信信号出力端子Ｔ２に供給され、分岐器４２の分岐出力端から出力モニタ端子Ｔ３に供給される。なお、アッテネータ４１での減衰量は、出力レベルを適正レベルにするために出力ＡＴＴ切替スイッチ３３（図２参照）を操作し切り替える。
【００３７】
バンドパスフィルタ４４は、分岐器３６の分岐出力端から供給される高周波電気信号から、ＦＭ帯域（７０ＭＨｚ〜９０ＭＨｚ）の音声信号を抽出する。
【００３８】
図６に示す場合、バンドパスフィルタ４４によって抽出されたＦＭ帯域（７０ＭＨｚ〜９０ＭＨｚ）の音声信号は、告知放送信号出力切替スイッチ３４を介して、告知放送信号専用出力端子Ｔ１に供給される。
【００３９】
これに対して、図７に示す場合、バンドパスフィルタ４４によって抽出されたＦＭ帯域（７０ＭＨｚ〜９０ＭＨｚ）の音声信号は、告知放送信号出力切替スイッチ３４、シグナルリレーＲＹ３、及び抵抗Ｒ１を介して、グランドに落ちる。しかしながら、分波器３７からアンプＡ４、ゲイン制御回路３９、及びアンプＡ５を介して合成器４０に至るまでの経路は、ＣＡＴＶ帯域（７０ＭＨｚ〜７７０ＭＨｚ）のテレビジョン放送信号だけでなく、分岐器３６の幹線出力端から供給される高周波電気信号に含まれているＦＭ帯域（７０ＭＨｚ〜９０ＭＨｚ）の音声信号も通過させるので、ＦＭ帯域（７０ＭＨｚ〜９０ＭＨｚ）の音声信号も共同受信信号出力端子Ｔ２に供給される。
【００４０】
続いて、図８及び図９に示す場合について説明する。この場合、シグナルリレーＲＹ１〜ＲＹ３の各リレーコイル（不図示）の両端にＤＣ電圧が印加されず、かかる電圧無印加によってシグナルリレーＲＹ１はコンデンサＣ２側を選択し、シグナルリレーＲＹ２はマッチング回路４３側を選択し、シグナルリレーＲＹ３は合成器４０側を選択する。
【００４１】
光電変換手段、例えば光電変換回路３５に設けられたフォトダイオード（不図示）により光信号を電気信号に変換する。当該電気信号の高周波成分である高周波電気信号は、コンデンサＣ２、マッチング回路４３、及びシグナルリレーＲＹ２を介して、バンドパスフィルタ４４に供給される。なお、無給電であるため、アンプＡ１〜Ａ５は動作しない。したがって、テレビジョン放送信号は伝送されない。また、マッチング回路４３を介する事により、ＦＭ帯域の出力レベルを若干上げることができる。
【００４２】
バンドパスフィルタ４４は、シグナルリレーＲＹ２から供給される高周波電気信号から、ＦＭ帯域（７０ＭＨｚ〜９０ＭＨｚ）の音声信号を抽出する。
【００４３】
図８に示す場合、バンドパスフィルタ４４によって抽出されたＦＭ帯域（７０ＭＨｚ〜９０ＭＨｚ）の音声信号は、告知放送信号出力切替スイッチ３４を介して、告知放送信号専用出力端子Ｔ１に供給される。
【００４４】
これに対して、図９に示す場合、バンドパスフィルタ４４によって抽出されたＦＭ帯域（７０ＭＨｚ〜９０ＭＨｚ）の音声信号は、告知放送信号出力切替スイッチ３４、シグナルリレーＲＹ３、合成器４０、アッテネータ４１、及び分岐器４２を介して、共同受信信号出力端子Ｔ２に供給される。
【００４５】
最後に、光端末装置３の他の構成例を図１０〜図１３に示す。図１０〜図１３に示す構成例は、図６〜図９に示す構成例から、抵抗Ｒ１と、シグナルリレーＲＹ３とを取り除き、合成器４０と、アッテネータ４１との間に、２．６ＧＨｚ帯にまで対応する高周波リレーＲＹ４を設けたものである。図１０〜図１３に示す構成例は、高周波リレーＲＹ４を用いることで、図６〜図９に示す構成例に比べて簡素な回路構成となっている。シグナルリレーＲＹ１及びＲＹ２並びに高周波リレーＲＹ４は互いに連動しており、光電変換回路３５及びアクティブ回路に電源が供給されている状態で図１０及び図１１に示す状態になり、光電変換回路３５及びアクティブ回路に電源が供給されていない状態で図１２及び図１３に示す状態になる。
【００４６】
図１０は給電時であって告知放送信号出力切替スイッチ３４が第１の状態である場合を示す図であり、図１１は給電時であって告知放送信号出力切替スイッチ３４が第２の状態である場合を示す図であり、図１２は無給電時であって告知放送信号出力切替スイッチ３４が第１の状態である場合を示す図であり、図１３は無給電時であって告知放送信号出力切替スイッチ３４が第２の状態である場合を示す図である。
【００４７】
図１０〜図１３に示す構成例での回路動作は、図６〜図９に示す構成例での回路動作に類似しているため、ここでは、説明を省略する。
【００４８】
以上、本発明に係る実施形態について説明したが、本発明の範囲はこれに限定されるものではなく、発明の主旨を逸脱しない範囲で種々の変更を加えて実行することができる。
【００４９】
例えば、上述した光端末装置３の構成例において、分波器３７からゲイン制御回路３８を介して合成器４０に至るまでの経路や分波器３７からゲイン制御回路３９を介して合成器４０に至るまでの経路でのアンプの段数を２段以外にしてもよい。また、上述した光端末装置３の構成例において、シグナルリレーＲＹ２とバンドパスフィルタ４４との間に、アッテネータやマッチング回路などのパッシブ回路を設けてもよい。
【００５０】
また、本発明に係る光端末装置は遠隔制御機能を有していなくてもよい。また、本発明に係る光端末装置は、放送用光加入者端末装置（V-ONU:Video-Optical Network Unit）に限定されることはなく、例えば、放送用光加入者端末装置（V-ONU:Video-Optical Network Unit）及び通信用光加入者端末装置（D-ONU:Digital-Optical Network Unit）を有する放送通信一体型光加入者端末装置（V/D-ONU）であってもよい。
【符号の説明】
【００５１】
１    センター装置
２    光伝送路
３    本発明に係る光端末装置
４    光ファイバー
５    告知放送信号伝送専用同軸ケーブル
６    告知放送信号受信器
７    共同受信信号伝送用同軸ケーブル
８    電源部
９    テレビ
１０    分配器
１１    遠隔制御信号送信部
１２    高周波ヘッドエンド部
１３    光送信部
３１    遠隔制御ユニット
３２    光ファイバ挿入口
３３    出力ＡＴＴ切替スイッチ
３４    告知放送信号出力切替スイッチ
３５    光電変換回路
３６    分岐器
３７    分波器
３８、３９    ゲイン制御回路
４０    合成器
４１    アッテネータ
４２    分岐器
４３    マッチング回路
４４    バンドパスフィルタ
Ａ１〜Ａ５  アンプ
Ｃ１、Ｃ２  コンデンサ
Ｒ１  抵抗
ＲＹ１〜ＲＹ３  シグナルリレー
ＲＹ４    高周波リレー
Ｔ１    告知放送信号専用出力端子
Ｔ２    共同受信信号出力端子
Ｔ３    出力モニタ端子
Ｔ４    入力端子
Ｔ５    出力端子
【図１】
2011040908.tif 000003
【図２】
2011040908.tif 000004
【図３】
2011040908.tif 000005
【図４】
2011040908.tif 000006
【図５】
2011040908.tif 000007
【図６】
2011040908.tif 000008
【図７】
2011040908.tif 000009
【図８】
2011040908.tif 000010
【図９】
2011040908.tif 000011
【図１０】
2011040908.tif 000012
【図１１】
2011040908.tif 000013
【図１２】
2011040908.tif 000014
【図１３】
2011040908.tif 000015